【手続補正書】
【提出日】平成18年8月18日(2006.8.18)
【手続補正１】
【補正対象書類名】明細書
【補正対象項目名】０００３
【補正方法】変更
【補正の内容】
【０００３】
特許文献１に開示のおむつは、肌当接側に位置する透液性表面シートと、肌非当接側に位置する不透液性裏面シートと、表裏面シートの間に介在する吸液性コアとから構成されている。このおむつは、前胴周り域の側部と後胴周り域の側部とが縦方向へ間欠的に並ぶ多数の熱融着線を介して固着されている。このおむつには、胴周り開口と一対の脚周り開口とが形成されている。処理用テープタブは、接着剤を介して裏面シートの外面に固着された固定部と、固定部に連なって固定部の外面に重なる自由部とを有する。自由部は、その内面に接着剤が塗布されており、接着剤を介して固定部の外面に剥離可能に仮着されている。処理用テープタブには、プラスチックフィルムが使用されている。
【手続補正２】
【補正対象書類名】明細書
【補正対象項目名】００１０
【補正方法】変更
【補正の内容】
【００１０】
前記前提における本発明の特徴は、前記裏面シートが、繊維不織布から形成され、前記不織布の仕上用油剤の含有率が、該不織布を構成する繊維重量当たり０．０４ｗｔ％以下（ＪＩＳ Ｌ １０１５ ７．２２；溶剤抽出法に準じて測定）であり、前記テープタブが、接着剤を介して前記裏面シートの外面に永久的に固着されていることにある。
【手続補正３】
【補正対象書類名】明細書
【補正対象項目名】００１５
【補正方法】変更
【補正の内容】
【００１５】
おむつ１０Ａは、胴周り開口１７と一対の脚周り開口１８とを有するパンツ型に形成され、互いに対向する前胴周り域１４および後胴周り域１６と、それら胴周り域１４，１６の間に位置する股下域１５とを有し、かつ、コア１３の両端縁１３ａの外側に位置して横方向へ延びる両端部１９と、コア１３の両側縁１３ｂの外側に位置して縦方向へ延びる両側部２０，２１，２２とをそれぞれ有する。
【手続補正４】
【補正対象書類名】明細書
【補正対象項目名】００１６
【補正方法】変更
【補正の内容】
【００１６】
胴周り開口１７及び脚周り開口１８は、前後胴周り域１４，１６の両側部２０，２２が合掌状に重なり合い、側部２０，２２側縁近傍において縦方向へ間欠的に並ぶ複数の熱融着線２３により連結されている。おむつ１０Ａは、股下域１５の両側部２１がおむつ１０Ａの横方向内方へ向かって弧を画くことで、股下域１５が前後胴周り域１４，１６よりも幅狭く形成されている。そのため、おむつ１０Ａは、前後胴周り域１４，１６の連結を解き、縦方向へ展開したときの平面形状がほぼ砂時計型を呈する。両端部１９と両側部２０，２１，２２とでは、表面シート１１と裏面シート１２とが互いに重なり合った状態で、それらシート１１，１２の内面どうしが接着剤（図示せず）を介して断続的に接合されている。
【手続補正５】
【補正対象書類名】明細書
【補正対象項目名】００２１
【補正方法】変更
【補正の内容】
【００２１】
感圧性接着剤３０，３１には、それぞれ公知のホットメルト型接着剤やアクリル系接着剤、ゴム系接着剤を使用することができる。また、剥離剤には、それぞれ公知のシリコン樹脂系やフッ素樹脂系、アミノアルキド樹脂系、ポリエステル樹脂系のものを使用することができる。
【手続補正６】
【補正対象書類名】明細書
【補正対象項目名】００２４
【補正方法】変更
【補正の内容】
【００２４】
テープタブ２６は、おむつ１０Ａを廃棄する廃棄処理用として利用することの他に、装着したおむつ１０Ａの胴周り寸法Ｎを調節する寸法調節用としても利用することができる。おむつ１０Ａの胴周り寸法Ｎを調節するときは、図示はしていないが、テープタブ２６の第１および第２自由部２８，２９を横方向外方へ展開させた後、テープタブ２６を後胴周り域１６の横方向中央に向かって引っ張り、テープタブ２６の第２自由部２９を後胴周り域１６の外面（裏面シート１２の外面）に止着する。自由部２９を後胴周り域１６に止着すると、テープタブ２６の固定部２７と自由部２８，２９との間に延びる側部２２の横方向の寸法を縮めることができるので、おむつ１０Ａの胴周り寸法Ｎを小さくすることができる。
【手続補正７】
【補正対象書類名】明細書
【補正対象項目名】００３０
【補正方法】変更
【補正の内容】
【００３０】
繊維不織布４１の仕上用油剤の含有率が０．０４ｗｔ％を超過すると、時間の経過とともに、仕上用油剤が接着剤の接着力を次第に低下させ、表面シート１１と裏面シート１２との接着強度が０．１５Ｎ／２０ｍｍ未満になってしまう場合がある。表面シート１１と裏面シート１２との接着強度が０．１５Ｎ／２５ｍｍ未満では、テープタブ２６を横方向へ強く引っ張ったときに、それらシート１１，１２どうしが剥離する場合がある。それらシート１１，１２が剥離すると、テープタブ２６を引っ張る力が裏面シート１２のみにかかり、裏面シート１２が破損してしまう場合がある。表面シート１１と裏面シート１２との接着強度が０．１５Ｎ／２５ｍｍ以上の場合、テープタブ２６を横方向へ強く引っ張ったとしても、テープタブ２６を取り付けた部位において表面シート１１と裏面シート１２とが剥離してしまうことはなく、さらに、テープタブ２６を引っ張る力が表裏面シート１１，１２に支えられるので、テープタブ２６を横方向外方へ容易に展開させることができる。
【手続補正８】
【補正対象書類名】明細書
【補正対象項目名】００３１
【補正方法】変更
【補正の内容】
【００３１】
図４，５は、他の一例として示すおむつ１０Ｂの斜視図と、図４の５−５線端面図とである。図４では、横方向を矢印Ｌ、縦方向を矢印Ｍで示すとともに、第１および第２自由部２８，２９を前胴周り域１４に止着した状態を二点鎖線で示す。図５では、テープタブ２６の第１および第２自由部２８，２９を矢印Ｌ２で示すおむつ１０Ｂの横方向内方へ展開した状態を二点鎖線で示す。
【手続補正９】
【補正対象書類名】明細書
【補正対象項目名】００３４
【補正方法】変更
【補正の内容】
【００３４】
固定部２７は、その内面が感圧性接着剤３０を介して裏面シート１２の外面に固着されている。第１自由部２８は、固定部２７の内端部分２７ｂにおいて固定部２７の外面の側に向かって折り曲げられている。第１自由部２８は、固定部２７の外面に重なり、その内面に塗布された止着手段としての感圧性接着剤３１を介して固定部２７の外面に剥離可能に仮着されている。第２自由部２９は、第１自由部の外端部分２８ａにおいて第１自由部２８の外面の側に向かって折り曲げられている。第２自由部２９は、第１自由部２８の外面に重なり、その内面に塗布された止着手段としての感圧性接着剤３２を介して第１自由部２８の外面に剥離可能に仮着されている。第２自由部２８の内端部分２９ｂには、感圧性接着剤が塗布されていない摘み３３が形成されている。感圧性接着剤３１，３２は、第１自由部２８の全体と第２自由部２９の摘み３３を除いた部分とにそれぞれ塗布されている。固定部２７の外面全体と第１自由部２８の外面全体とには、剥離剤（図示せず）が塗布されている。
【手続補正１０】
【補正対象書類名】明細書
【補正対象項目名】００３８
【補正方法】変更
【補正の内容】
【００３８】
繊維不織布４２の仕上用油剤の含有率が不織布４２を構成する繊維重量当たり０．０４ｗｔ％以下の場合、仕上用油剤による接着剤３０の接着力の低下を防ぐことができ、おむつ１０Ｂを長期間放置したとしても、裏面シート１２に対するテープタブ２６の固定部２７の接着強度の低下を防ぐことができる。おむつ１０Ｂは、それを温度５０℃かつ湿度６０％で１週間放置したとしても、テープタブ２６の固定部２７が裏面シート１２に対して４Ｎ／２０ｍｍ以上の接着強度を有するので、おむつ１０Ｂを長期間放置した後に、テープタブ２６を横方向へ強く引っ張って第１および第２自由部２８，２９を展開させたとしても、テープタブ２６が裏面シート１２の外面から剥がれてしまうことはない。
【手続補正１１】
【補正対象書類名】明細書
【補正対象項目名】００５３
【補正方法】変更
【補正の内容】
【００５３】
おむつ１０Ｃは、弾性部材２４，３４の収縮によってテープタブ２６の固定部２７に多数のギャザー３６が形成されているので、図１のおむつ１Ａのようにテープタブ２６の固定部２７にギャザーが形成されていない場合と比較し、固定部２７が裏面シート１２から剥がれ易くなるが、固定部２７が裏面シート１２に対して４Ｎ／２０ｍｍ以上の接着強度を有するので、固定部２７に多数のギャザー３６が形成されたとしても、固定部２７が裏面シート１２の外面から剥がれてしまうことはない。
【手続補正１２】
【補正対象書類名】明細書
【補正対象項目名】００６３
【補正方法】変更
【補正の内容】
【００６３】
おむつ１０Ｄを着用者に装着する手順は、以下のとおりである。後胴周り域１６の側部２２内面を前胴周り域１４の側部２０外面に重ね合わせ、側部２２を側部２０に押し付ける。側部２２を側部２０に押し付けると、テープタブ３８に形成されたフック３９が裏面シート１２を形成する不織布４２の繊維に引っ掛かかり、テープタブ３８が後胴周り域１６の側部２２内面に係合し、それら胴周り域１４，１６の側部２０，２２どうしを連結することができる。前後胴周り域１４，１６が連結されたおむつ１０Ｄには、図１０に示すように、胴周り開口１７と一対の脚周り開口１８とが形成される。前後胴周り域１４，１６を連結した後、着用者の両脚を胴周り開口１７から脚周り開口１８へ通し、おむつ１０Ｄを着用者の胴部に引き上げる。
【手続補正１３】
【補正対象書類名】明細書
【補正対象項目名】００７０
【補正方法】変更
【補正の内容】
【００７０】
コア１３は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚みに圧縮されている。コア１３は、それの型崩れやポリマー粒子の脱落を防止するため、全体がティッシュペーパーや親水性繊維不織布等の透液性シートに被覆されていることが好ましい。ポリマーとしては、デンプン系、セルロース系、合成ポリマー系のものを使用することができる。
【手続補正１４】
【補正対象書類名】明細書
【補正対象項目名】００７３
【補正方法】変更
【補正の内容】
【００７３】
図１，４，６のおむつ１０Ａ，１０Ｂ，１０Ｃのテープタブ２６は、一本のテープタブを断面Ｚ字型に折り畳んだものであるが、固定部２７と第１および第２自由部２８，２９とを別個のテープタブから形成し、それらテープタブを互いに連結した後、断面Ｚ字型に折り畳んでもよい。それらおむつ１０Ａ，１０Ｂ，１０Ｃでは、テープタブ２６が繊維不織布から形成されている場合、接着剤３１，３２に代えて、第１および第２自由部２８，２９の内面にメカニカルファスナのうちのフックが形成されていてもよい。また、図１，４，６のおむつ１０Ａ，１０Ｂ，１０Ｃでは、テープタブ２６を後胴周り域１６の両側部２２に配置し、接着剤３０を介してテープタブ２６の固定部２７を後胴周り域１６における裏面シート１２の外面に固着してもよい。それらおむつ１０Ａ，１０Ｂ，１０Ｃでは、縦方向へ延びる一つのテープタブ２６を前後胴周り域１４，１６のいずれか一方の横方向中央に配置し、接着剤３０を介してテープタブ２６の固定部２７を裏面シート１２の外面に固着してもよい。